(57)【要約】【課題】  組立可能な植物栽培用、特にイチゴ栽培用の容器を提供する。【解決手段】  組立式栽培容器１は、合成樹脂材料よりなる、少なくとも１枚の組立シートを折り曲げることによって形成される植物栽培用容器である。栽培槽６は、栽培槽６の側面４の上端部を形成する辺から栽培槽６の外側かつ下方に延出する支持体７を備えており、支持体７には、側面４の上端部を形成する辺に対して略平行な方向に延びる複数の湾曲形成溝８が設けられている。これら湾曲形成溝８によって、側面４の上端部から支持体７の末端部への方向において徐々に傾斜が大きくなる湾曲面を支持体７に形成することができる。【選択図】  図１
2006304629.tif 000002
【特許請求の範囲】
【請求項１】
少なくとも１枚の板状部材からなり、当該板状部材を折り曲げることにより、略箱形状の栽培槽を有する植物栽培用容器またはその一部を形成する植物栽培用容器形成シートであって、
上記植物栽培用容器の組立状態において、上記栽培槽の側面の上端部を形成する辺から上記栽培槽の外側かつ下方に延出し、かつ、上記栽培槽の外側に向かって徐々に傾斜が大きくなる湾曲面が形成される支持部を備え、
上記組立状態において上記支持部に上記湾曲面が形成されるように、上記支持部には、上記辺に対して略平行な方向に延びる複数の湾曲形成溝が設けられていることを特徴とする植物栽培用容器形成シート。
【請求項２】
上記板状部材は、互いに略平行に並んだ複数の溝孔からなる中空構造を有しており、
上記複数の湾曲形成溝は、上記複数の溝孔の延伸方向に対して略直交するように設けられていることを特徴とする請求項１に記載の植物栽培用容器形成シート。
【請求項３】
上記植物栽培用容器の組立状態において上記支持部の湾曲の度合いを固定する固定手段を備えていることを特徴とする請求項１または２に記載の植物栽培用容器形成シート。
【請求項４】
上記植物栽培用容器を形成する面を互いに接続する接続手段をさらに備えていることを特徴とする請求項１〜３のいずれか１項に記載の植物栽培用容器形成シート。
【請求項５】
複数の上記植物栽培用容器またはその一部を連結する連結手段をさらに備えていることを特徴とする請求項１〜４のいずれか１項に記載の植物栽培用容器形成シート。
【請求項６】
請求項１〜５のいずれか１項に記載の植物栽培用容器形成シートによって形成される植物栽培用容器。
【請求項７】
少なくとも１枚の板状部材を折り曲げることによって形成される組立式植物栽培用容器であって、
上記植物栽培用容器が有する栽培槽の側面の上端部を形成する辺から上記栽培槽の外側かつ下方に延出する支持体を備え、
上記支持体には、上記辺に対して略平行な方向に延びる複数の湾曲形成溝が設けられており、
上記複数の湾曲形成溝によって、上記側面の上端部から上記支持体の末端部への方向において徐々に傾斜が大きくなる湾曲面が上記支持体に形成されていることを特徴とする組立式植物栽培用容器。
【発明の詳細な説明】
【技術分野】
【０００１】
本発明は、植物を隔離栽培するための容器、特にイチゴ栽培に適した容器に関するものである。
【背景技術】
【０００２】
近年、高設栽培が普及している。この高設栽培は、栽培槽を地面より高い位置に設置する栽培方法であり、作業者の労働負担を減らすことができる、土壌から隔離することで土壌病害の予防ができる、養液管理による肥培管理を単純化できる等の効果を有するものである。
【０００３】
例えば、イチゴを高設栽培する場合には、イチゴの果梗が折れないように注意を払う必要がある。なぜなら、果梗が折れた場合には、果梗を通じて果実に供給される養分および水分の量が減ることにより、果実の秀品率が低下するからである。そのため、イチゴの高設栽培用の栽培槽には、イチゴの果梗および果実を支えるための部材が設けられているものが多い。
【０００４】
例えば、特許文献１に記載の発明においては、イチゴの果梗を受け止める受紐を栽培槽の左右両側に沿って張るための紐張り用ブラケットが設けられている。
【０００５】
また、特許文献２に記載の発明においては、栽培槽の左右側壁の上端部に茎折れ防止手段が設けられている。
【０００６】
また、特許文献３に記載の発明においては、栽培槽の両側壁の上端から外側下方に延びる果実受け部が設けられている。
【０００７】
また、特許文献４に記載の発明においては、栽培槽の上側方に延出する、凸状に湾曲形成された延出部が設けられている。
【０００８】
また、特許文献５に記載の発明においては、湾曲面支持ロッドが栽培槽と平行に配設されており、上記湾曲面支持ロッドは、栽培槽の外側に向かって下り勾配に所定の曲率半径で湾曲された湾曲接触面を有している。
【０００９】
また、特許文献６に記載の発明においては、筒状の水枕または空気枕が栽培槽と平行に設けられている。
【００１０】
一方、植物栽培用容器の運搬や保管に関する制約を少なくすることを目的として、組立式の植物栽培用容器が提案されている。
【００１１】
例えば、特許文献７に記載の発明においては、複数の板状部材が結合部材によって連結されており、上記複数の板状部材を組み合わせることにより箱状の容器を形成している。
【００１２】
また、特許文献８に記載の発明においては、空気を含有し且つ可撓性を有する板状の合成樹脂部材を長尺筐体状に折り曲げ成形することにより植物栽培装置を実現している。
【特許文献１】特開２００３−１８９１６号公報（２００３年１月２１日公開）
【特許文献２】特開２００２−１５３１３４号公報（２００２年５月２８日公開）
【特許文献３】特開２００２−２１８８４９号公報（２００２年８月６日公開）
【特許文献４】特開２００１−２９９１０１号公報（２００１年１０月３０日公開）
【特許文献５】特開２００１−３７号公報（２００１年１月９日公開）
【特許文献６】特開２００１−２３８５４０号公報（２００１年９月４日公開）
【特許文献７】特開昭５７−１７７６１９号公報（１９８２年１１月１日公開）
【特許文献８】特開２００２−１２５４７２号公報（２００２年５月８日公開）
【発明の開示】
【発明が解決しようとする課題】
【００１３】
ところが、上記従来の構成では、いくつかの問題が生ずる。
【００１４】
まず、特許文献１〜６に記載された発明においては、栽培槽の形状が製造時に略決まるため、栽培槽を輸送する際に労力やコストがかかるとともに、栽培槽を保管する際に広いスペースが必要であるという問題が生ずる。
【００１５】
一方、特許文献７および８に記載された発明においては、イチゴのような、果梗が伸びる植物の栽培に必要な上述の湾曲部を備えていないため、果梗が伸びる植物の栽培用の容器としては不適であるという問題が生ずる。また、従来の技術では、板状の部材からイチゴ栽培に適した湾曲部を形成することは困難であった。そのため、板状の部材から成る組立式のイチゴ栽培用の容器は実現されていなかった。
【００１６】
本発明は、上記の問題点を解決するためになされたもので、その目的は、果梗が伸びる植物、例えばイチゴ等の栽培に必要な湾曲部を備えつつ、輸送コストを削減し、保管スペースを節約することができる植物栽培用の組立式容器を提供することにある。
【課題を解決するための手段】
【００１７】
本発明に係る植物栽培用容器形成シートは、上記の課題を解決するために、少なくとも１枚の板状部材からなり、当該板状部材を折り曲げることにより、略箱形状の栽培槽を有する植物栽培用容器またはその一部を形成する植物栽培用容器形成シートであって、上記植物栽培用容器の組立状態において、上記栽培槽の側面の上端部を形成する辺から上記栽培槽の外側かつ下方に延出し、かつ、上記栽培槽の外側に向かって徐々に傾斜が大きくなる湾曲面が形成される支持部を備え、上記組立状態において上記支持部に上記湾曲面が形成されるように、上記支持部には、上記辺に対して略平行な方向に延びる複数の湾曲形成溝が設けられていることを特徴としている。
【００１８】
上記の構成によれば、折り曲げられることにより、植物栽培用容器またはその一部を形成することができる植物栽培用容器形成シートを実現できる。上記植物栽培用容器は、当該植物栽培用容器が有する栽培槽の側面の上端部を形成する辺から上記栽培槽の外側かつ下方に延びるように配された支持部を有している。この支持部には、上記辺に対して略平行な方向に延びる複数の湾曲形成溝が設けられており、当該複数の湾曲形成溝により上記側面の上端部から上記支持部の末端部への方向において徐々に傾斜が大きくなる湾曲面を上記支持部に形成することができる。そして、上記栽培槽において果梗が伸びる植物、例えばイチゴを栽培した場合には、この湾曲した支持部において植物の果梗および果実を支えることができる。そのため、植物の栽培中に果梗および果実が傷付く可能性を低減することができる。
【００１９】
また、上記植物栽培用容器形成シートは、植物栽培用容器として使用しない時、例えば輸送や保管の際には板状のままにしておくことができるため、植物栽培用容器の輸送コストおよび保管スペースを低減できる。
【００２０】
なお、上記湾曲面の形成範囲に関して、まず、湾曲面の幅は、栽培槽の側面の上端部の幅より狭くならないことが、栽培槽内の位置によらず植物の果梗および果実を確実に支持できるため好ましい。次に、栽培槽の側面の上端部から支持部の延出端までの範囲と湾曲面の形成範囲との関係では、上端部から延出端までの全範囲に湾曲面が形成されてもよいし、上端部から延出端までの一部範囲に形成されてもよい。
【００２１】
本発明に係る容器形成シートは、上記の構成に加えて、上記板状部材は、互いに略平行に並んだ複数の溝孔からなる中空構造を有しており、上記複数の湾曲形成溝は、上記複数の溝孔の延伸方向に対して略直交するように設けられていることが好ましい。
【００２２】
上記の構成によれば、板状部材は互いに略平行に並んだ複数の溝孔をその内部に有する中空部材である。板状部材を中空構造を有するものとすることによって、容器の断熱効果を高めることができる。この断熱効果は、溝孔が含む空気が熱を遮断することにより生じるものである。この断熱効果により、空調のための燃料費を節約することができる。さらに、中空部材（中空構造）とすることで、板状部材の可撓性を高めることができるとともに、植物栽培用容器の軽量化を図ることができる。
【００２３】
また、支持部に設けられた複数の湾曲形成溝は、板状部材が有する複数の溝孔の延伸方向に対して略直交するように設けられている。複数の湾曲形成溝を複数の溝孔の伸長方向に対して略平行に設けた場合には、上記複数の湾曲形成溝に沿って板状部材を折り曲げようとしても、折り目が直線状になるように折り曲がらない場合が多く、支持部をなめらかに湾曲させることも困難となる。それゆえ、支持部を秩序正しく湾曲させるためには、複数の溝孔の伸長方向に対して略直角に湾曲形成溝８を設けることが好ましい。
【００２４】
また、上記の構成に加えて、上記植物栽培用容器の組立状態において上記支持部の湾曲の度合いを固定する固定手段を備えていることが好ましい。
【００２５】
上記の構成によれば、上記植物栽培用容器の組立状態において、上記支持部の湾曲の度合いは固定されている。支持部の湾曲の度合いを固定することにより、物理的な負荷のために支持部の湾曲形状が変化する可能性を低減することができる。換言すれば、植物の果梗および果実を一定の様式で支えることが容易となる。そのため、支持部の湾曲形状が偶発的に変化することによって植物の果梗および果実が傷付く可能性を低減できる。
【００２６】
また、上記の構成に加えて、上記植物栽培用容器を形成する面を互いに接続する接続手段をさらに備えていることが好ましい。
【００２７】
上記の構成によれば、植物栽培用容器形成シートは接続手段を備えており、植物栽培用容器が有する面の相対位置を固定することができる。換言すれば、植物栽培用容器の形状を維持することができる。それゆえ、例えば、上記植物栽培用容器を移動させる場合や、上記植物栽培用容器に多少の物理的な負荷が加わった場合でも、当該植物栽培用容器の形状を維持することが容易となる。
【００２８】
また、上記の構成に加えて、複数の上記植物栽培用容器またはその一部を連結する連結手段をさらに備えていることが好ましい。
【００２９】
上記の構成によれば、植物栽培用容器形成シートは連結手段を備えており、当該連結手段によって複数の上記植物栽培用容器またはその一部を連結することができる。それゆえ、植物栽培用容器を使用する場所の形状に合った長さの容器を実現することができる。
【００３０】
本発明に係る組立式植物栽培用容器は、少なくとも１枚の板状部材を折り曲げることによって形成される組立式植物栽培用容器であって、上記植物栽培用容器が有する栽培槽の側面の上端部を形成する辺から上記栽培槽の外側かつ下方に延出する支持体を備え、上記支持体には、上記辺に対して略平行な方向に延びる複数の湾曲形成溝が設けられており、上記複数の湾曲形成溝によって、上記側面の上端部から上記支持体の末端部への方向において徐々に傾斜が大きくなる湾曲面が上記支持体に形成されていることを特徴としている。
【００３１】
上記の構成によれば、栽培槽の側面の上端部を形成する辺からは、支持体が上記栽培槽の外側かつ下方に延びている。この支持体には、上記辺に対して略平行な方向に延びる複数の湾曲形成溝が設けられており、これらの複数の湾曲形成溝によって上記側面の上端部から上記支持体の末端部への方向において徐々に傾斜が大きくなる湾曲面が上記支持体に形成されている。そして、上記栽培槽で果梗が伸びる植物、例えばイチゴを栽培した場合には、この湾曲した支持体において植物の果梗および果実を支えることができる。そのため、植物の栽培中に果梗および果実が傷付く可能性を低減することができる。
【００３２】
また、上記組立式植物栽培用容器は、少なくとも１枚の板状部材を折り曲げることによって形成されており、当該植物栽培用容器を使用しない場合、例えば輸送や保管の際には板状にすることができる。それゆえ植物栽培用容器の輸送コストおよび保管スペースを低減できる。
【発明の効果】
【００３３】
本発明に係る容器形成シートは、以上のように、少なくとも１枚の板状部材からなり、当該板状部材を折り曲げることにより、略箱形状の栽培槽を有する植物栽培用容器またはその一部を形成する植物栽培用容器形成シートであって、上記植物栽培用容器の組立状態において、上記栽培槽の側面の上端部を形成する辺から上記栽培槽の外側かつ下方に延出し、かつ、上記栽培槽の外側に向かって徐々に傾斜が大きくなる湾曲面が形成される支持部を備え、上記組立状態において上記支持部に上記湾曲面が形成されるように、上記支持部には、上記辺に対して略平行な方向に延びる複数の湾曲形成溝が設けられている構成である。
【００３４】
それゆえ、果梗が伸びる植物、例えばイチゴの栽培に適した植物栽培用容器の輸送コストおよび保管スペースを低減することができるという効果を奏する。
【発明を実施するための最良の形態】
【００３５】
〔実施の形態１〕
本発明の実施の一形態について図１〜図３に基づいて説明すれば、以下のとおりである。
【００３６】
図１は、本実施形態の組立式栽培容器１の構成を示す斜視図である。図２は、本実施形態の組立シート１０を示す平面図である。図３は、支持部１５に設けられた湾曲形成溝８の配置および構造を示す斜視図である。
【００３７】
図２に示すように、本実施形態の組立式栽培容器１を形成する組立シート１０は、前背面部１２、側面部１３、底面部１４、支持部１５、位置決め底面部１６を備えている。上記各部は、組立シート１０の表面に設けられた折り曲げ溝１１によって分画されることにより形成されており、当該折り曲げ溝１１に沿って組立シート１０を折り曲げることによって組立式栽培容器１が形成される。折り曲げ溝１１は、組立シート１０に対して押圧処理を施すことにより形成されている。
【００３８】
上記組立シート１０は、例えば、合成樹脂材料からなる板状部材を型に合わせて切り抜くことによって形成すればよい。組立シート１０は、図３に示すように、リブ２２によって形成される細長い空間であるリブ孔２３を有しており、当該リブ孔２３は互いに略平行に並んでいる。このリブ孔２３により中空構造が実現されている。
【００３９】
中空部材を用いることにより、組立式栽培容器１の断熱性を高めることができる。この断熱効果は、リブ孔２３に満たされた空気によって熱が遮断されるからである。また、中空構造とすることにより、組立シート１０の可撓性を高めるとともに軽量化を図ることができる。
【００４０】
組立シート１０の厚さは、１.５〜５ｍｍが好ましく、２.５〜４ｍｍがより好ましい。組立シート１０の厚さが５ｍｍを超えると、組立シート１０を加工しにくくなり、逆に、２.５ｍｍよりも薄くなると強度が低下するからである。
【００４１】
上記組立シート１０を構成している材料である合成樹脂材料としては、ポリプロピレンやポリカーボネートを挙げることができるが、これらに限定する必要はなく、加工のしやすさ、可撓性、断熱性等を考慮して選択すればよい。本実施の形態では、住化プラステック社製のポリプロピレン製ダンボール（商品名「サンプライ」、１.５ｍ×２ｍ程度）を用いている。
【００４２】
組立シート１０の色は、特に限定されないが、耐久性を考慮すれば黒色が好ましい。黒色にすることにより、白色にする場合よりも組立シート１０の耐久性（紫外線等に対する耐性）は向上する。組立シート１０を着色する場合には、上記合成樹脂材料に染料や顔料を混合することにより着色してもよいし、上記板状部材の成型後または組立式栽培容器１の組立後に塗装、フィルム素材の接着等の加工を施してもよい。
【００４３】
前背面部１２は、組立状態において栽培槽６の前面２または背面３を形成する部分であり、組立状態において側面４と隣接する辺において、略矢印形状の突出部Ａ１７を有している。
【００４４】
側面部１３は、組立状態において栽培槽６の側面４を形成する部分であり、組立状態において前面２または背面３と隣接する辺の近傍に溝孔Ａ１８を有している。組立時に、この溝孔Ａ１８に突出部Ａ１７が挿入される。さらに、側面部１３は、底面部１４と隣接する辺の付近に溝孔Ｂ２１を有している。溝孔Ｂ２１は、組立時に後述する突出部Ｂ２０を受け入れる。
【００４５】
底面部１４は、組立状態において栽培槽６の底面を形成する部分であり、複数の排水孔１９が設けられている。排水孔１９は、直径５ｍｍであり、例えば、千鳥状に配置されている。排水孔１９から植物栽培のための水または培養液を排出することができる。排水孔１９の大きさおよび配置は、上記のものに限定されず、効率良く排水できることを考慮して穿設されればよい。
【００４６】
支持部１５は、底面部１４と隣接している辺とは反対側の、側面部１３の辺、換言すると、組立シート１０を組み立てて組立式栽培容器１としたときの側面の上端部を形成する辺と隣接しており、その表面に湾曲形成溝８を有している。この湾曲形成溝８は、側面部１３と支持部１５とを区切る折り曲げ溝と略平行に形成されている。
【００４７】
湾曲形成溝８が支持部１５に設けられていることにより、支持部１５を湾曲させることができ、支持部１５は、図１に示すように、組立状態において支持体７となる。
【００４８】
湾曲形成溝８の間隔は、例えば、１ｃｍ程度の間隔で設ければよいが、一定間隔で設ける必要は必ずしもなく、所望する湾曲面の曲率半径を実現するために適宜調節すればよい。具体的には、組立式栽培容器１の外側に向かって湾曲形成溝８の間隔が徐々に小さくなるように、当該湾曲形成溝８を形成してもよい。
【００４９】
湾曲形成溝８は、図３に示すように、折り曲げ溝１１よりも浅い溝であることが好ましい。湾曲形成溝８および折り曲げ溝１１は、組立シート１０に対して押圧処理を施すことにより形成されており、湾曲形成溝８を形成する際の押圧力は、折り曲げ溝１１を形成する際の押圧力よりも小さい。そのため、湾曲形成溝８は、折り曲げ溝１１よりも浅くなっている。この違いにより湾曲形成溝８は、折り曲げ溝１１よりも折れ曲がりにくくなっており、なめらかな湾曲面を支持体７に形成することができる。つまり、湾曲形成溝８を形成する際の押圧力を折り曲げ溝１１を形成する際の押圧力よりも小さくすることにより、湾曲形成溝８を完全に折り曲げることなく、なだらかな曲面（湾曲面）を形成することができる。
【００５０】
また、湾曲形成溝８は、図３に示すように、リブ孔２３の伸長方向に対して直角に形成されている。湾曲形成溝８（または折り曲げ溝１１）をリブ孔２３の伸長方向に対して略平行な方向に設けた場合には、上記溝に沿って組立シート１０を折り曲げようとしても、折り目が直線状になるように折り曲がらない場合が多く、支持部１５をなめらかに湾曲させることも困難となる。それゆえ、リブ孔２３の伸長方向に対して略直角に湾曲形成溝８を設けることにより、組立シート１０を折り目が直線状になるように折り曲げることができ、その結果、支持部を秩序正しく湾曲させることができる。
【００５１】
位置決め底面部１６は、側面部１３と隣接している辺とは反対側の、支持部１５の辺から延出しており、支持部１５と隣接している辺とは反対側の辺において突出部Ｂ２０を有している。この突出部Ｂ２０は、組立時に側面部１３が有する溝孔Ｂ２１に挿入される。
【００５２】
位置決め底面部１６（組立状態においては位置決め底面９）の役割は、支持部１５（組立状態においては支持体７）の、側面４に対する相対位置を固定することである。支持体７の位置を側面４に対して固定することにより、支持体７の形状も固定される。それゆえ、組立式栽培容器１を移動させた場合でも支持体７の湾曲形状が変化する可能性を低減することができる。
【００５３】
上述したように、組立シート１０を折り曲げ溝１１に沿って折り曲げることにより、図１に示す組立式栽培容器１を形成することができる。組立式栽培容器１は、前面２、背面３、側面４、底面５によって形成される、上部が開口した略箱形状の栽培槽６、支持体７、位置決め底面９（固定手段）を備えている。
【００５４】
前面２、背面３、側面４は互いに、それぞれの面が有する溝孔または突出部（接続手段）によって隣接する面と結合されている。
【００５５】
栽培槽６は、培養土を入れる容器であり、ここで植物を栽培する。
【００５６】
支持体７は、その表面に前述の湾曲形成溝８を有しているため、なめらかに湾曲することができる。支持体７が有する湾曲面は、側面４の上端部を視点とすると徐々に傾斜が大きくなっていく面である。換言すれば、側面４の上端部と、側面４の上端部と隣接する辺とは反対側の支持体７の辺（支持体７の末端部）とを含む平面を基準平面とすれば、支持体７が有する湾曲面は、上記基準平面を隔てて側面４が存在する空間とは反対側の空間において上記基準平面に対してふくらんだ形状を有している。さらに換言すれば、支持体７が有する湾曲面は、栽培槽６の外側に向かって緩やかに下降するように湾曲している。
【００５７】
支持体７がなだらかな湾曲面を有しているため、果梗が伸びる植物、例えばイチゴ、を栽培する場合には、伸長した果梗および果実を支持体７で支えることができ、これにより果梗が折れる可能性を低減できる。また、支持体７は、位置決め底面９を介して栽培槽６に固定されているため、支持体７の栽培槽６に対する相対位置は略固定されている。そのため、外部からの衝撃、例えば、作業者の体が触れることによる衝撃、によって支持体７の湾曲形状が大きく変化することを防ぐことができ、支持体７の湾曲形状の変化に伴って果梗または果実が傷付く可能性を低減することができる。
【００５８】
支持体７の湾曲形状は、当該支持体７の長さ（支持部１５の、湾曲形成溝８に対して垂直な方向の長さ）に加えて、位置決め底面９の幅９ａをどの程度の長さにするのかによって変化する。例えば、幅９ａを大きくすれば、支持体７の傾斜はなだらかになり、逆に、幅９ａを小さくすれば、支持体７の傾斜は急になる。支持体７の傾斜をなだらかにすると、組立式栽培容器１の占有面積が増えることになり、支持体７の傾斜を急にし過ぎると、支持体７の、果梗および果実を支持する能力が低下する。そのため、占有面積と果梗および果実の支持能力とを考慮して幅９ａを設定する必要がある。本実施の形態の組立式栽培容器１では、支持体７と位置決め底面９とによって、支持体７と位置決め底面９との境界付近において形成される角度９ｂは、略６５度である。
【００５９】
また、支持体７の表面を光反射率の高い銀色にしてもよい。支持体７の表面に光を反射させる特性を持たせることにより、果実に効率良く光を照射することが可能となる。
【００６０】
以上のように、本実施の形態の組立式栽培容器１は、少なくとも１枚の組立シート１０からなり、組立シート１０は、折り曲げ溝１１において折り曲げられることにより栽培槽６を形成し、栽培槽６は、当該栽培槽６の側面４の上端部を形成する辺から延出する支持体７を備えており、支持体７の表面には、上記辺に対して略平行な方向に延びる複数の湾曲形成溝８が設けられており、湾曲形成溝８によって、支持体７に湾曲形状が形成される構成である。
【００６１】
そのため、支持体７によって果梗および果実を支持することにより、当該果梗および果実が損傷することを防ぐことができるとともに、組立式の容器であるが故に、当該容器の輸送コストを削減し、保管スペースを節約することができる。
【００６２】
〔実施の形態２〕
本発明の他の実施形態について図４に基づいて説明すれば、以下のとおりである。なお、実施の形態１と同様の部材に関しては、同じ符号を付し、その説明を省略する。
【００６３】
図４は、本実施形態の組立式栽培容器３０の構成を示す斜視図である。なお、図４は、高架栽培用のフレーム３２に組立式栽培容器３０を設置した状態を示している。組立式栽培容器１との違いは、組立式栽培容器３０においては、前面２および背面３が底面５から分離されているとともに、底面５に連結部３１（連結手段）が設けられている点である。
【００６４】
連結部３１は、底面５の、側面４と接していない辺の少なくとも一辺に設けられている。この連結部３１は、組立式栽培容器３０を連結する際に、接続対象となる他の組立式栽培容器３０の底面５の表面に重ね合わせられる。さらに連結部３１と底面５との重層部分を公知の留め具、例えば、先割れピン、ステープル等、により固定すれば、組立式栽培容器３０同士の連結は強固なものとなる。
【００６５】
連結された組立式栽培容器３０の長手方向の末端部には、前面２および背面３が着装され、この着装により栽培槽６が形成される。上記着装は、前面２または背面３が有する突出部Ａ１７を側面４が有する溝孔Ａ１８に挿入することにより行われる。
【００６６】
上記連結の際に、側面４と支持体７とによって形成される空間にフレーム３２を通すことにより、複数の組立式栽培容器３０を直線的に連結させていくことが容易になる。
【００６７】
以上の構成により、複数の組立式栽培容器３０を長手方向に連結することが容易となり、圃場の形状に合った長さの栽培容器を実現することができる。そのため、圃場のスペースを無駄なく、効率的に使用することができる。
【００６８】
なお、上述においては、組立シート１０は、合成樹脂材料からなるものが好ましいとしているが、組立シート１０の材料は合成樹脂に限定されない。合成樹脂と同等以上の可撓性、強度を有する材料であればよい。
【００６９】
また、上記の構成では、連結部３１は、底面５に備えられているが、側面４に設けられていてもよいし、その両方に設けられていてもよい。また、底面５の、側面４と接していない辺の一辺に連結部３１を受け入れる凹部を設け、当該凹部と連結部３１とを嵌合させることにより組立式栽培容器３０同士を連結させてもよい。また、連結部３１とは異なる連結手段によって組立式栽培容器３０を連結してもよい。上記連結手段としては、蝶番、ステープル等が挙げられる。
【００７０】
また、組立式栽培容器３０に前面２および背面３を取り付ける作業を容易にするために、連結部３１を切り取ることが容易な構成にしてもよい。例えば、連結部３１と底面５との境界線にミシン線が設けられていてもよい。
【００７１】
また、上記の構成では、支持体７は、栽培槽６の両側面の上端部から延出しているが、片側側面のみから延出していてもよい。また、支持体７の位置決めを行う手段も位置決め底面９に限定されない。例えば、支持体７は、当該支持体７を、組立式栽培容器１が載置されている台、床、地面等に固定するための部材を有していてもよい。また、位置決め底面９とは異なる部材を介して、支持体７を栽培槽６に固定してもよい。
【００７２】
また、折り曲げ溝１１および湾曲形成溝８は、組立シート１０の両側表面に形成されていてもよい。また、折り曲げ溝１１および湾曲形成溝８は、同じ形状の溝であってもよい。
【００７３】
また、上記の構成では、突出部Ａ１７およびＢ２０、さらに、これらの突出部を受け入れる溝孔Ａ１８およびＢ２１は、一辺に１つずつしか設けていないが、それぞれ複数設けてもよい。また、突出部Ａ１７およびＢ２０の形状も、略矢印形状に限定されず、適宜変更してもよい。
【００７４】
さらに、上記突出部および上記溝孔を用いずに、その他の固定用の部材を用いて面と面とを結合させてもよい。上記固定用の部材としては、蝶番、ボルトおよびナット、先割れピン、ステープル、角縁結合部材等が挙げられる。
【００７５】
また、上記の構成では、側面４と位置決め底面９とがなす角度は鋭角であるが、側面４と位置決め底面９とがなす角度は直角であってもよい。すなわち、栽培槽６の形状は、略直方体または略立方体であってもよい。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７７】
植物栽培、特にイチゴ栽培に適した組立式容器として利用できる。
【図面の簡単な説明】
【００７８】
【図１】本実施形態の組立式栽培容器の構成を示す斜視図である。
【図２】本実施形態の組立シートを示す平面図である。
【図３】本実施形態の組立シートに設けられた湾曲形成溝の配置および構造を示す斜視図である。
【図４】本実施形態の組立式栽培容器の別の構成を示す斜視図である。
【符号の説明】
【００７９】
１  組立式栽培容器
７  支持体
８  湾曲形成溝
９  位置決め底面（固定手段）
１０  組立シート
１５  支持部
１６  位置決め底面部
１７  突出部Ａ（接続手段）
１８  溝孔Ａ（接続手段）
２０  突出部Ｂ（接続手段）
２１  溝孔Ｂ（接続手段）
２３  リブ孔（複数の溝孔）
３０  組立式栽培容器
３１  連結部（連結手段）
【図１】
2006304629.tif 000003
【図２】
2006304629.tif 000004
【図３】
2006304629.tif 000005
【図４】
2006304629.tif 000006